【事件の表示】
　平成　４年特許願第　２５７３８号「害虫防除材」拒絶査定に対する審判事件〔平成　５年　６月２２日出願公開、特開平　５−１５３８９１、請求項の数（６）〕について、次のとおり審決する。
【結　論】
　原査定を取り消す。
　本願の発明は、特許すべきものとする。
【理　由】
１．手続の経緯・本願発明
　本願は、平成４年１月１６日の出願であって、その請求項１ないし６に係る発明は、平成１２年２月９日付けの手続補正書により補正された明細書および図面の記載からみて、特許請求の範囲の請求項１ないし６に記載された次のとおりのものと認める。
「【請求項１】帯状に形成されたバンド部と、このバンド部の基部に連設され、バンド部挿通用の穴を有する頭部と、上記バンド部の扁平面に形成された係止部と、上記頭部に一体に設けられ、上記穴に対する上記バンド部の挿通時に弾性変形して上記係止部の通過を許し、この係止部を抜け止め状態に係止する係止爪とを備え、性フェロモン剤を混合した高分子材料により上記性フェロモン剤を放出可能に成形された害虫防除材。
【請求項２】帯状に形成されたバンド部と、このバンド部の基部に連設され、バンド部挿通用の穴を有する頭部と、上記バンド部の扁平面に形成された係止部と、上記頭部に一体に設けられ、上記穴に対する上記バンド部の挿通時に弾性変形して上記係止部の通過を許し、この係止部を抜け止め状態に係止する係止爪とを備え、高分子材料により多孔性となるように成形され、上記孔に性フェロモン剤が放出可能に含浸された害虫防除材。
【請求項３】係止部がバンド部の両側扁平面に形成され、係止爪が頭部におけるバンド部挿通用の穴の出口側外端でバンド部の挿通方向に沿うような方向で一対突設されている請求項１または２記載の害虫防除材。
【請求項４】高分子材料が光分解プラスチック、生分解プラスチックのいずれかである請求項１ないし３のいずれかに記載の害虫防除材。
【請求項５】撥水性と通気性を有し、性フェロモン剤を徐々に放出し得る材料から成る薄膜により被覆された請求項１ないし４のいずれかに記載の害虫防除材。
【請求項６】薄膜が光透過性を有する材料により形成された請求項５記載の害虫防除材。」
２．引用刊行物記載の発明
　原査定の拒絶の理由に引用された実願昭５７ー１４８２４５号（実開昭５９ー５１００３号）のマイクロフィルム（以下、刊行物１という。）には、「独立した多数の微孔を有する多孔質重合体層と、常温で上記重合体に対して限られた溶解度を有し、上記微孔に液滴として封入されている液状活性物質と、上記多孔質重合体層の裏面に液状活性物質を拡散浸透させないバッキングを有するシート状製剤であって、バッキングが復元性を有するコイル材であることを特徴とする液状活性物質含有製剤。」（実用新案登録請求の範囲）、「従来、例えば、連続した貫通孔を有する多孔質重合体基材にフェロモンを含浸吸収させて活性物質貯蔵層となし、これを液状活性物質の放出を制御し得る重合体膜に包み込んだシート状製剤が知られている。しかし、かかる製剤の施用は、単に散布するか、或いは紐、針金等にて樹木に固定したりするものであって、特に、樹木や支持材に取付けるにあたって手間を要していた。本考案は上記に鑑みてなされたものであって、フェロモンほか液状活性物質を含有するシート状製剤において、施用に際して自由に変形でき、樹木や支持材に簡単に取付けることができ、更に、取外しも簡単である液状活性物質含有製剤を提供することを目的とする。」（２頁４〜１８行）、「上記のようなシート状製剤は、例えば、好ましくは、重合体と、重合体に対して常温で限られた溶解度を有する常温で液状の活性物質とを、これら活性物質及び重合体の両方を溶解し得ると共に、上記活性物質よりも易揮発性の有機溶剤に溶解し、この溶液を適宜の支持体の表面に塗布し、上記溶剤を蒸発させて、上記重合体の層内に液状活性物質を微小な液滴状に分散含有させることによって製造される。」（３頁６〜１４行）、「本考案における製剤は、バッキングとして、復元性を有するコイル材を有し、従って、常態ではコイル材と一体にコイルを形成している。かかるコイル材としては、例えば、薄い鋼板が用いられ、上記した製剤裏面に接着剤等により接着積層される。」（８頁３〜８行）、「本考案の製剤は、常態ではコイル状をなしているが、例えば、コイルを緩めれば容易に樹木や適宜の支持材に巻き付けて取付けることができ、また、取付けた後は再びコイルに戻るので、容易に離脱しない。反対に、取り外すときにも、コイルを緩めればよい。従って、本考案の製剤によれば、施用が著しく簡単になる。」（９頁２〜９行）と記載されている。
　同じく引用された実願昭５４ー１８１６８５号（実開昭５６ー１００１８９号）のマイクロフィルム（以下、刊行物２という。）には、「適度な弾性を有する防水シートを一端から他端方へ折曲巻回して略々筒型となし、上面に粘着剤が塗布される床部と、該床部の上方を覆う屋根部を形成する形式のトラップであって、上記防水シートには、トラップの少なくとも一方の側部に開口を形成するための開口用部と、トラップを吊下げ使用するための吊下げ用部が設けられていることを特徴とする粘着型フェロモントラップ。」（実用新案登録請求の範囲）、「第７〜８図は防水シート（４０）からトラップを組立てるとき、防水シート（４０）の接合端部を屋根部（４１）の中央の部分で止着する止着片（４２ａ）（４２ｂ）を利用して吊手部（４３）を形成するようにした場合の本考案の一実施例が示されている。本実施例に於ては、防水シート（４０）の一端側に切込み（４４）（４４）が形成され、一方の切目（４４）の外側に形成された帯状の止着片（４２ａ）の両側部には、鋸歯状部（４５）が形成され、また他方の切目（４４）の外側に形成された止着片（４２ｂ）に、長さ方向に間隔を存して係止穴（４６）・・が形成されている。防水シートの他端側には、上記止着片（４２ａ）（４２ｂ）をそれぞれ差し通すための切目（４７ａ）（４７ｂ）が形成されている。防水シート（４０）からトラップを組立てるに際しては、防水シート（４０）か第８図に示すように筒型となるように折曲され、屋根部（４１）の中央部に於て、止着片（４２ａ）（４２ｂ）がそれぞれ対応する切込み（４７ａ）（４７ｂ）に挿入される。次いで１方止着片（４２ａ）が他方止着片（４２ｂ）の係止穴（４６）・・の一つに挿入係止され、茲に吊手部（４３）が形成される。第７図に於て（４９）（４９）は組立てられたトラップの両側部に開口（５０）（５０）を形成するための切目である。」（１２頁１３行〜１４頁４行）と記載されている。
　同じく引用された特開昭５７ー５０９０１号公報（以下、刊行物３）には、「ガス非透過性材料からなる管状体中に、揮発性物質を充填し、該管状体の一端もしくは両端開口部をシリコーンパテで封止してなる揮発性物質放散体」（特許請求の範囲）と記載されている。
　なお、刊行物３は、請求項５、６に対して引用されたものである。
３．対比・判断
　請求項１、２に係る発明は、「帯状に形成されたバンド部と、このバンド部の基部に連設され、バンド部挿通用の穴を有する頭部と、上記バンド部の扁平面に形成された係止部と、上記頭部に一体に設けられ、上記穴に対する上記バンド部の挿通時に弾性変形して上記係止部の通過を許し、この係止部を抜け止め状態に係止する係止爪とを備え」によって、樹木等への取り付け手段を構成し、この取り付け手段を、請求項１に係る発明では「性フェロモン剤を混合した高分子材料」により、また、請求項２に係る発明では「高分子材料により多孔性となるように成形され、上記孔に性フェロモン剤が放出可能に含浸された」高分子材料により形成して害虫防除材としたものであり、上記取り付け手段を上記高分子材料で形成することによって、明細書記載の効果を奏するものである
　これに対して、刊行物１には、害虫防除材として、性フェロモン剤を含有した高分子材料を用いること、刊行物２には、害虫防除材（トラップ）の取り付け手段（吊り下げ用具）として、帯状に形成されたバンド部と、このバンド部の基部に連設され、バンド部挿通用の穴を有する頭部を備え、上記バンド部を上記穴に挿通して係止することが記載されている。
　しかしながら、刊行物１に記載の害虫防除材は、上記高分子材料の裏面にバッキングとして復元性を有する鋼板等のコイル材を積層し、このコイル材の復元力によって樹木等への取り付けを行うもの、即ち、上記コイル材を取り付け手段とするものであり、刊行物２に記載の取り付け（吊り下げ用具）は、防水シートで形成されているように、これら刊行物には、取り付け手段を性フェロモン剤を含有した材料によって形成することについては記載されてないから、請求項１、２に係る発明が刊行物１、２に記載の発明から当業者が容易に想到し得るものとは認められない。
　また、請求項３ないし６に係る発明は、請求項１または２に係る発明の構成要件を全て含み、さらに、その構成要件を限定または他の構成要件を付加したものに相当するから、上記請求項１、２に係る発明についての判断と同様に当業者が容易に想到し得るものではない。
４．むすび
　したがって、本願請求項１ないし６に係る発明は、刊行物１ないし３に記載された発明に基づいて当業者が容易に発明をすることができたものとすることはできない。
　また、他に本願を拒絶する理由を発見しない。
　よって、結論のとおり審決する。